(57)【特許請求の範囲】
【請求項１】
内部に線引き用筆記具芯空間が具備され、上面に出入口が形成され、下面が塞ぐ管形の上部本体部と、
上端部が前記上部本体部の下端部と結合されて、上下方向に伸びる下部本体部と、
下端部を紙に当たって筆記するために、前記下部本体部に設置されるメイン筆記具芯と、
前記線引き用筆記具芯空間に挿入されて、上下方向に伸び、下端が前記上部本体部の底部と接して、紙に当たって筆記するための部分である筆記先端が上端部に具備される線引き用筆記具芯と、
上面に筆記先端穴が形成され、前記線引き用筆記具芯によって貫通されているパイプの形態を有し、一部が前記出入口を通じて前記線引き用筆記具芯空間の上部に挿入され、前記線引き筆記具芯空間に挿入される程度を調節することができるように前記上部本体部に設置されている蓋部と、
前記蓋部の前記上部本体部の上方に突出している上部外側面に回転可能に結合されている一対の案内輪とを、含んで構成され、
前記蓋部が前記線引き用筆記具芯空間に所定の深さだけ挿入されると、線引き用筆記具芯の筆記先端が前記蓋部の外部に所定の長さだけ抜け出して、前記案内輪を紙に当たって直線方向に動かすと、前記線引き用筆記具芯の筆記先端も紙に接したまま動かしながら下線を引くことができる
ことを特徴とする直線の下線が引かれる筆記具。
【請求項２】
前記線引き筆記具芯の前記筆記先端より所定距離だけ下側に離れた部分に係止突起が具備され、
前記蓋部の前記筆記先端穴の周囲部の下面と前記係止突起部との間に弾設されて、前記蓋部が前記線引き用筆記具芯空間により多く挿入されるほど、前記蓋部を外側に押し出す力を加えるためのバネを含む
請求項１に記載の直線の下線が引かれる筆記具。
【請求項３】
前記線引き筆記具芯空間内部に設置され、前記蓋部の下端と前記上部本体部の底部との間に弾設されて、前記蓋部が前記線引き用筆記具芯空間により多くの挿入するほど前記蓋部を外側に押し出す力を加えるためのバネを含む
請求項１に記載の直線の下線が引かれる筆記具。
【請求項４】
前記上部本体部の側面には、係止穴が形成され、
前記蓋部の下端と結合されて下方に伸び、下端部には前記係止穴に挿入された状態で上下方向に動く、外側に突出する係止あごが一体型に形成される係止部材が含まれ、
前記蓋部は、前記係止あごが前記係止穴の上端に達すると、前記上部本体部に係り止めて上方への移動が制限される
請求項２または３に記載の直線の下線が引かれる筆記具。
【請求項５】
前記上部本体部の側面には、上下方向に間隔を置いて、上部係止穴と下部係止穴が形成され、
前記蓋部の下端と結合されて下方に伸び、内側と外側の方向に弾性的に動くことができ、下端部には、前記下部係止穴に挿入された状態で上下方向に動く外側に突出して、前記下部係止穴を貫通する下部係止あごが一体型に形成され、前記下部係止あごの上部に、間隔を置いて位置するように、外側に向かって突出する上部係止あごが、一体型に形成される係止部材を更に含み、
前記蓋部は、前記下部係止あごが前記下部係止穴の下端に達すると、前記上部係止あごが前記下部係止穴の上端に位置して、前記上部本体部に係り止めて上方への移動が制限され、前記下部係止あごを外側から押して前記上部係止あごが前記上部本体部に係り止めることが解消されると、前記係止部材が上昇して、前記上部係止あごは前記上部係止穴に挿入されて係り止め、前記下部係止あごは前記下部係止穴の上端に達して係り止める
請求項２または３に記載の直線の下線が引かれる筆記具。
【請求項６】
前記線引き用筆記具芯は、ボールペン芯である
請求項１ないし３のいずれかに記載の直線の下線が引かれる筆記具。
【請求項７】
前記線引き用筆記具芯は蛍光ペン芯であり、前記線引き用筆記具芯の筆記先端が前記蓋部内部に入ると、前記筆記先端穴が自動的に塞ぐ
請求項１ないし３のいずれかに記載の直線の下線が引かれる筆記具。
【請求項８】
前記線引き筆記具芯は、色が相互に異なる二つが、左右に並べて近隣して設置されている
請求項１ないし３のいずれかに記載の直線の下線が引かれる筆記具。
【請求項９】
内部に線引き用筆記具芯空間が具備され、上面に出入口が形成され、下面が塞ぐ管形の上部本体部と、
上端部が前記上部本体部の下端部と結合されて上下方向に伸びる下部本体部と、
前記線引き用筆記具芯空間に挿入されて上下方向に伸び、下端が前記上部本体部の底部と離隔されて位置するように設置され、紙に当たって筆記するための部分である筆記先端が上端部に具備される線引き筆記具芯と、
上面に筆記先端穴が形成され、前記線引き用筆記具芯によって貫通されているパイプの形態を有し、一部が前記出入口を通じて前記線引き用筆記具芯空間の上部に挿入され、前記線引き筆記具芯空間に挿入される程度を調節できるように設置されている蓋部と、
前記蓋部の前記上部本体部の上方に突出している上部外側面に回転可能に結合されている一対の案内輪とを、含んで構成され、
前記蓋部が、前記線引き筆記具芯空間に所定の深さ以上挿入されると、線引き筆記具芯の筆記先端が前記蓋部の外部に抜け出して、前記案内輪を紙に当たって直線方向に動かすと、前記線引き筆記具芯の筆記先端も紙に当たったまま動かしながら下線を引くことができる
ことを特徴とする直線の下線が引かれる筆記具。
【請求項１０】
中心部に前記線引き用筆記具芯によって貫通されている穴が形成され、エッジ部が前記上部本体部の内周面と結合されるバネ支持部が、前記上部本体部の内部に具備され、
前記線引き筆記具芯の前記蓋部上端部と前記バネ支持部との間に位置する部分には、横方向に突出形成された係止突起が具備され、
前記蓋部の前記筆記先端穴の周囲部の下面と前記係止突起部との間に弾設されている上部バネと、
前記係止突起と前記バネ支持部との間に弾設されている下部バネと含む
請求項９に記載の直線の下線が引かれる筆記具。
【請求項１１】
前記線引き用筆記具芯の前記筆記先端から下方に所定の間隔だけ離れた部分には、横方向に突出形成された係止突起部が具備され、
前記蓋部の前記筆記先端穴の周囲部の下面と前記係止突起部との間に弾設されている上部バネと、
上面の中央部に上方に突出して前記線引き用筆記具芯の下端部の穴と嵌結合される結合突起が具備される受け部と、
前記受け部の下面と前記上部本体部の底部との間に弾設されている下部バネとを含む
請求項９に記載の直線の下線が引かれる筆記具。
【請求項１２】
前記上部本体部の側面には、係止穴が形成され、
前記蓋部の下端と結合されて下方に伸び、下端部には前記係止穴に挿入された状態で上下方向に動く外側に突出する係止あごが一体型に形成される係止部材が、更に含まれ、
前記蓋部は、前記係止あごが前記係止穴の上端に達すると、前記上部本体部に係り止めて上方への移動が制限される
請求項９ないし１１のいずれかに記載の直線の下線が引かれる筆記具。
【請求項１３】
前記上部本体部の側面には、上下方向に間隔を置いて上部係止穴と下部係止穴が形成され、
前記蓋部の下端と結合されて下方に伸び、内側と外側の方向に弾性的に動くことができ、下端部には、前記下部係止穴に挿入された状態で上下方向に動いて外側に突出して、前記下部係止穴を貫通する下部係止あごが一体型に形成され、前記下部係止あごの上部に間隔を置いて位置するように、外側に向かって突出する上部係止あごが一体型に形成される係止部材が、更に含まれ、
前記蓋部は、前記下部係止あごが前記下部係止穴の下端に達すると、前記上部係止あごが前記下部係止穴の上端に位置して、前記上部本体部に係り止めて上方への移動が制限され、前記下部係止あごを外側から押して前記上部係止あごが前記上部本体部に係り止めることが解消されると、前記係止部材が上昇して前記上部係止あごは前記上部係止穴に挿入されて係り止め、前記下部係止あごは前記下部係止穴の上端に達して係り止める
請求項９ないし１１のいずれかに記載の直線の下線が引かれる筆記具。
【請求項１４】
前記蓋部の下端部には、外側に向かって突出する環状の蓋部あごが具備され、
前記上部本体部の内周面には、内側に突出する環状の本体部あごが上下間隔を置いて一対具備され、
前記上部本体部の内周面には、内側に突出する環状の移動制限あごが前記本体部あごの下側のものと下方に間隔を置いて具備され、
前記蓋部あごと前記本体部あごは、所定の大きさ以上の力を加えると前記蓋部あごが前記本体部あごを乗り越えて移動できるように丸く処理され、
前記移動制限あごを前記蓋部あごが乗り越えることを防止するように角があるように処理され、
前記本体部あごの下側のと前記移動制限あごとの間に前記蓋部あごが挿入されると、前記筆記先端が外部に抜き出す状態で前記蓋部の位置が固定される
請求項９ないし１１のいずれかに記載の直線の下線が引かれる筆記具。
【請求項１５】
前記上部本体部の側面には、係止穴が形成され、
前記蓋部の下端と結合されて下方に伸びて下端部には、前記係止穴に挿入された状態で上下方向に動く、外側に突出する係止あごが一体型に形成される係止部材が、更に含まれ、
前記蓋部は、前記係止あごが前記係止穴の上端に達すると、前記上部本体部に係り止めて上方への移動が制限されるように構成され、
前記蓋部の下端部には、外側に向かって突出する環状の蓋部あごが具備され、
前記上部本体部の内周面には、内側に突出する環状の本体部あごが具備され、
前記上部本体部の内周面には、内側に突出する環状の移動制限あごが前記本体部あごと下方に間隔を置いて具備され、
前記蓋部あごと前記本体部あごは、所定の大きさ以上の力を加えると前記蓋部あごが前記本体部あごに乗って越えて移動できるように丸く処理され
前記移動制限あごを前記蓋部あごが乗り越えることを防止するように角があるように処理され、
前記本体部あごと前記移動制限あごの間に前記蓋部あごが挿入されると前記筆記先端が外部に抜き出す状態で前記蓋部の位置が固定される
請求項９ないし１１のいずれかに記載の直線の下線が引かれる筆記具。
【請求項１６】
前記上部本体部の側面には、上下方向に間隔を置いて、上部係止穴と下部係止穴が形成され、
前記蓋部の下端と結合されて下方に伸び、内側と外側の方向に弾性的に動くことができ、下端部には、前記上部係止穴に挿入された状態で上下方向に動かしたり、前記下部係止穴に挿入された状態で上下方向への動きが固定されるように、外側に向かって突出する係止あごが一体型に形成される係止部材が更に含まれ、
前記蓋部は、前記係止あごが前記上部係止穴内で移動して前記上部係止穴の上端または下端に達すると、前記係止あごが前記上部係止穴の上端または下端に位置して前記上部本体部に係り止めて上方または下方への移動が制限され、前記係止あごを外から押して前記係止あごが前記上部本体部に係り止めることが解消されると、前記係止部材がより下降可能し、前記係止あごが前記下部係止穴に挿入されると、上下移動が防止される
請求項９ないし１１のいずれかに記載の直線の下線が引かれる筆記具。
【請求項１７】
前記案内輪は円錐形または円柱の形態を持ち、一対の前記案内輪の回転軸が外側に向かっていきながら下方傾斜れ前記案内輪の斜め側面が紙面に密着して転がる
請求項９ないし１１のいずれかに記載の直線の下線が引かれる筆記具。
【請求項１８】
前記線引き用筆記具芯は、ボールペン芯である
請求項９ないし１１のいずれかに記載の直線の下線が引かれる筆記具。
【請求項１９】
前記線引き用筆記具芯は蛍光ペン芯であり、前記線引き用筆記具芯の筆記先端が前記蓋部内部に入ると、前記筆記先端穴が自動的に塞ぐ
請求項９ないし１１のいずれかに記載の直線の下線が引かれる筆記具。
【請求項２０】
前記線引き筆記具芯は、色が相互に異なる二つが、左右に並べて近隣して設置される
請求項９ないし１１のいずれかに記載の直線の下線が引かれる筆記具。
【発明の詳細な説明】
【技術分野】
【０００１】
本発明は、直線の下線が引かれる筆記具に関し、更に具体的には、ボールペンと一体型で構成された装置が具備され、定規を用いなくても下線が簡単に引けて、加工性、市場性、美観性等に優れる直線の下線が引かれる筆記具に関するものである。
【背景技術】
【０００２】
従来は、線を引く時、定規で引いたり、他の装置をペンと結合させて線を引く方法しかなかった。
【０００３】
前記のような従来の方法は、筆記の途中に線を引こうとすると、定規で引いたり、他の装置をペンと結合させて線を引いてから再び装置をはずし、筆記をしなければならないので、勉強に集中できないし、時間のかかることが多く、下線引きが必要な時に結合された道具によって定規が見えないことがあるという問題点がある。
【先行技術文献】
【特許文献】
【０００４】
【特許文献１】韓国登録実用新案第２０-０４６００５２号(登録日：２０１２年０４月２０日)
【特許文献２】韓国公開実用新案第２０-２０１３-００００２２８号(公開日：２０１３年０１月０９日)
【特許文献３】韓国登録特許第１０-０７３４９０３号(登録日：２００７年０６月２７日)
【発明の概要】
【発明が解決しようとする課題】
【０００５】
本発明は、このような従来の技術に関する問題点を解決するために案出されたもので、本発明は、定規を用いなくても直線の下線が引けて、筆記具と一体型になって、便利で、速やかに利用できる直線の下線が引かれる筆記具を提供することに目的がある。
【課題を解決するための手段】
【０００６】
本発明は、直線の下線が引かれる筆記具に関し、本発明に係る直線の下線が引かれる筆記具は、内部に線引き用筆記具芯空間が具備され、上面に出入口が形成され、下面が塞ぐ管形の上部本体部と、上端部が前記上部本体部の下端部と結合されて、上下方向に伸びる下部本体部と、下端部を紙に当たって筆記するために、前記下部本体部に設置されるメイン筆記具芯と、前記線引き用筆記具芯の空間に挿入されて、上下方向に伸び、下端が前記上部本体部の下端と接して紙に当たって筆記するための部分である筆記先端が上端部に具備される線引き用筆記具芯と、上面に筆記先端穴が形成され、前記線引き用筆記具芯によって貫通されているパイプの形態を有し、一部が前記出入口を通じて前記線引き用筆記具芯空間の上部に挿入され、前記線引き筆記具芯空間に挿入される程度を調節することができるように前記上部本体部に設置されている蓋部と、ペアが相互に並んで前記蓋部の前記上部本体部の上方に突出している上部外側面に回転可能に結合されている案内輪とを、含んで構成され、前記蓋部が前記線引き用筆記具芯の空間に 深さだけ挿入されると、前記線引き用ボールペン芯の筆記先端が前記蓋部の外部に所定の長さだけ抜け出して、前記案内輪を紙に当たって直線方向に動かすと、前記線引き用ボールペン芯の筆記先端も紙に接したまま動かしながら下線を引くことができるように構成される。
【０００７】
そして、本発明に係る直線の下線が引かれる筆記具は、内部に線引き用筆記具芯空間が具備され、上面に出入口が形成され、下面が塞ぐ管形の上部本体部と、上端部が前記上部本体部の下端部と結合されて上下方向に伸びる下部本体部と、前記線引き用筆記具芯空間に挿入されて、上下方向に伸び、下端が前記上部本体部の底部と隔離して位置するように設置され、紙に当たって筆記するための部分である筆記先端が上端部に具備される線引き用筆記具芯と、上面に筆記先端穴が形成され、前記線引き用筆記具芯によって貫通されているパイプの形態を有し、一部が前記出入口を通じて前記線引き用筆記具芯空間の上部に挿入され、前記線引き筆記具芯空間に挿入される程度を調節することができるように前記上部本体部に設置される蓋部と、ペアが相互に並んで前記蓋部の前記上部本体部の上方に突出している上部外側面に回転可能に結合されている案内輪とを、含んで構成され、前記蓋部が前記線引き用筆記具芯空間に所定の深さ以上挿入されると、前記線引き用ボールペン芯の筆記先端が前記蓋部の外部に抜け出して、前記案内輪を紙に当たって直線方向に動かすと、前記線引き用ボールペン芯の筆記先端も紙に接したまま動かしながら下線を引くことができるように構成される。
【発明の効果】
【０００８】
以上のように、本発明に係る直線の下線が引かれる筆記具によると、ボールペン芯が両側に設置されて、一方は筆記用に使用し、他の一方は蓋に輪が付いており、筆記途中下線が必要なときに線引きが可能であり、直線引きを不快感なくすっきりできて、重要な内容が頭の中に正確に伝達されるようにして、突然に直線に下線引きが必要なすべての人人が便利に使用することができるという長所がある。
【図面の簡単な説明】
【０００９】
【図１】本発明の第１実施例及び第４実施例による直線の下線が引かれる筆記具を示す斜視図
【図２】本発明の第１実施例及び第４実施例による直線の下線が引かれる筆記具を示す斜視図
【図３】本発明の第１実施例及び第４実施例による直線の下線が引かれる筆記具のボールペン芯調節器を示す斜視図
【図４】本発明の第１実施例による直線の下線が引かれる筆記具のボールペン芯調節器を示す断面図
【図５】本発明の第２実施例による直線の下線が引かれる筆記具のボールペン芯調節器を示す断面図
【図６】本発明の第３実施例による直線の下線が引かれる筆記具のボールペン芯調節器を示す断面図
【図７】本発明の第４実施例による直線の下線が引かれる筆記具のボールペン芯調節器を示す断面図
【図８】本発明の第５実施例による直線の下線が引かれる筆記具のボールペン芯調節器を示す断面図
【図９】本発明の第６実施例による直線の下線が引かれる筆記具のボールペン芯調節器を示す断面図
【図１０】本発明の第７実施例による直線の下線が引かれる筆記具のボールペン芯調節器を示す断面図
【図１１】本発明の第８実施例による直線の下線が引かれる筆記具のボールペン芯調節器を示す断面図
【図１２】本発明の第９実施例による直線の下線が引かれる筆記具のボールペン芯調節器を示す断面図
【図１３】本発明の第１０実施例による直線の下線が引かれる筆記具のボールペン芯調節器を示す断面図
【図１４】本発明の第１１実施例による直線の下線が引かれる筆記具のボールペン芯調節器を示す断面図
【発明を実施するための形態】
【００１０】
以下、本発明の発明を実施するための形態を添付した図面を参照して、詳細に説明する。
【００１１】
図１及び図２は、本発明の第１実施例及び第４実施例による直線の下線が引かれる筆記具を示す斜視図であり、図３は本発明の第１実施例及び第４実施例による直線の下線が引かれる筆記具のボールペン芯調節器を示す斜視図である。
【００１２】
図１ないし図３に示したように、本発明に係る直線の下線が引かれる筆記具は、上部本体部１００と、下部本体部２００と、メイン筆記具芯３００と、線引き用筆記具芯４００と、蓋部５００と、案内輪６００と、輪軸６１０と、バネ７００と、係止部材８００と、ボールペン芯調節器９００とを含んで構成される。
【００１３】
上部本体部１００と下部本体部２００は、上下一列に接続されることにより一つの長い直線型の本体を形成する。
【００１４】
上部本体部１００と下部本体部２００は、それぞれ内部が空いているパイプ状の本体として、上部本体部１００の内部の空間と、下部本体部２００の内部の空間は、上部本体部１００の底部１３０によって、隔離して区画される。
【００１５】
下部本体部２００の下側の部分は、上側の部分とネジ結合により,分離可能に結合されて着脱が可能で、下部本体部２００の下端部は、下に行くほど狭くなって、下端面にメイン筆記具芯３００の下端が抜けて出たり入られるように穴が形成される。
【００１６】
下部本体部２００の内部には、通常のボールペン芯であるメイン筆記具芯３００が設置され、下部本体部２００の内部のメイン筆記具芯３００の下部から突出する部分と下部本体部２００の下部との間に弾性体が設置され、下端がメイン筆記具芯３００の上端と接するボールペン芯調節器９００が下部本体部２００の内部の上部に設置される。
【００１７】
下部本体部２００の上部一側面に二つの穴が、上下に形成され、ボールペン芯調節器９００の側面方向に突出する突起部が、上下に二つ具備され、ボールペン芯調節器９００において突起部が具備された部分が、内外に弾性的に動くことができるように構成される。このような構成によって、ボールペン芯調節器９００の下側の突起部が、下部本体部２００の下側の穴にはめられ、ボールペン芯調節器９００の上側突起部が下部本体部２００の上側穴にはめられると、ボールペン芯調節器９００が上に上がる状態になり、これにより内部弾性体が、メイン筆記具芯３００を上に押し上げて、メイン筆記具芯３００全体が、下部本体部２００の内部に入る状態になる。
【００１８】
逆に、ボールペン芯調節器９００の下部本体部２００の側面方向に突出されているボールペン芯調節器９００の下側突起部を下に押して、ボールペン芯調節器９００の下側突起部及び上側突起部とも下部本体部２００の下側穴はめられると、ボールペン芯調節器９００が下に下がった状態で係り合われ、これによりメイン筆記具芯３００が下がって、メイン筆記具芯３００の下端部が、下部本体部２００の外側に出て、筆記をすることができる状態になる。
【００１９】
前記のような下部本体部２００とメイン筆記具芯３００等を含む筆記具の構成は、従来によく使われているカチカチボールペンの構成と基本的に似ているので、ここで詳細な説明は省略する。
【００２０】
本発明での下部本体部２００と、メイン筆記具芯３００等を含む筆記具の構成は、必ずしも上記のようなカチカチボールペンに限定されるものではなく、ボールペンではなく、サインペンやシャープペンシル等である可能性があることはもちろんである。
【００２１】
上部本体部１００、線引き用筆記具芯４００、蓋部５００、案内輪６００等を含む構成は、線引き用筆記具の構成として、これは、通常に上部本体部１００が上になる状態で、メイン筆記具芯３００で筆記をして上部本体部１００が下側になり、下部本体部２００が上になるように、逆に立ててから、線引きをするために使用するものである。
【００２２】
上部本体部１００の側面には、上下方向に長い長方形の係止穴１２０が形成され、係止部材8００の係止あご８１０が、係止穴１２０を貫通しながら、係止穴１２０内で上下方向に移動可能に構成される。
【００２３】
上部本体部１００は、上面が開口され、内部に線引き用筆記具芯空間が具備された丸形のパイプの形態の部材であり、蓋部５００は、上面の中心に筆記先端穴が形成され、下面が開口され、開口された下面と通じる内部の空間が形成され、上部本体部１００の上面の穴を通じて、少なくとも一部が挿入されるように設置される。
【００２４】
本発明の第１実施例、第２実施例及び第３実施例による線引き用筆記具芯４００は、普通のボールペン芯として、線引き用筆記具芯の空間及び蓋部５００の内部の空間に設置され、蓋部５００が線引き用筆記具芯の空間に入ることと比例して、先端の部分だけ筆記先端穴と通じて、抜け出すように構成される。線引き用筆記具芯４００は、位置には変化がなくて、蓋部５００が動くことで、線引き用筆記具芯４００の筆記先端が蓋部５００の筆記先端穴を通じて、抜け出したり、筆記先端の部分も蓋部５００の内部に収納できるように構成される。
【００２５】
線引き用筆記具芯４００の筆記先端から所定の距離だけ離れた部分の両側面には、係止突起部４３０が具備され、コイルの形態のバネ７００が線引き用筆記具芯４００によって貫通されながら、下端が係止突起部４３０と接し、上端が蓋部５００の上面に接して、蓋部５００が下がると圧縮されるように設置される。コイルの形態のバネ７００が線引き用筆記具芯４００によって貫通されながら下端が係止突起部４３０に当たり、上端が蓋部５００の上面に当たって、蓋部５００が下がると、圧縮されるように設置される。
【００２６】
係止部材８００は、蓋部５００の下端のエッジと結合して、下方に長く伸びる薄い部材として、蓋部５００との結合位置の下側部分が側方向に弾性的に動くことができ、係止部材８００の下端部において、外側に向かう部分には、上面が直角に折れて、下側に行くほど、内側で下方に傾く直角三角形の形の係止あご８１０が突出形成される。
【００２７】
蓋部５００が上昇して、係止あご８１０の垂直に折れられた上端が、係止穴１２０の上端のエッジと接して係り合うと、蓋部５００がもっと上がることができないので、普段は、蓋部５００が上部本体部１００から抜けない。しかし、先が尖ったもので、係止あご８１０を内側に押して、上部本体部１００の内部に入らせる状態で、蓋部５００を引っ張ると、蓋部５００を外すことができ、線引き用筆記具芯４００も交換することができる。
【００２８】
蓋部５００の上部側面において、相互に反対側を向く面には、それぞれ一つずつ輪軸６１０が結合されるが、この時二つの輪軸６１０は、一つの直線上に位置する。輪軸６１０の端部には、案内輪６００が回転可能に結合されて、一対の案内輪６００ガ並んで設置される。
【００２９】
案内輪６００の大きさは、案内輪６００を紙面に着けた状態で、蓋部５００が所定の距離だけ入ると、線引き用筆記具芯４００の先端が、紙面に届くことができる程度に構成する。
【００３０】
案内輪６００において任意の材質を使うと、案内輪６００が滑って、直線になるように引くことができない。案内輪６００が直線に転がって行くことができるようにする要因としては、輪の材質が摩擦の大きいゴム材質からなるもの、紙との摩擦を増大させるために、輪が歯車のようになるように、輪に浅い溝を掘ること、輪をただ転がせることではなく、ボールペン芯が表せるために、輪の蓋が下がるように力を加える過程で、紙と輪との間に、摩擦力が増加するようにバネの弾性力を調節すること、輪が左右に動かないように固定するもの、輪の間、ボールペン芯が紙に接して引く過程で、中心を取ってくれるもの等がある。
【００３１】
前述したように構成された第１実施例、第２実施例及び第３実施例の作用を説明すると、次の通りである。
【００３２】
図４は、本発明の第１実施例による直線の下線が引かれる筆記具のボールペン芯調節器を示す断面図である。図４に示すように、本発明の第１実施例の場合、普段は下部本体部２００及びメイン筆記具芯３００等で構成された部分を通常のカチカチボールペンのように使用していて、下線を引くときは、上部本体部１００が下側に行くよう、逆に裏返して掴んで、案内輪６００を紙面に着いた状態でギュッと押すと、輪軸６１０と結合された蓋５００が上に上がり、線引き用筆記具芯４００の先端が露出して、紙面に触れた状態で、上部本体部１００を掴んで横側に動かすと、一対の案内輪６００が転げながら、線引き用筆記具芯４００が直線に動きながら、直線の下線を引くようになる。
【００３３】
下線を引いた後、案内輪６００を押す力を除去すると、バネ７００の復帰力によって、蓋部５００が元の状態になって、線引き用筆記具芯４００の先端が、蓋部５００の内部に入ることになる。
【００３４】
図５は、本発明の第２実施例による直線の下線が引かれる筆記具のボールペン芯調節器を示す断面図である。図５に示したように、本発明の第２実施例の場合、第１実施例と異なる点は、二つの相互に色が異なる線引き用筆記具芯４００が、隣になって並んで設置されることと、線引き用筆記具芯４００に係止突起部４３０が存在しない代わりに、バネ７００が蓋部５００の下端と、上部本体部１００の底部１３０との間に設置されるということである。
【００３５】
本発明の第２実施例では、線引き用筆記具芯４００の先端部分が同時に二つが露出されることができて、上部本体部１００を傾ける方向に応じて、二つの線引き用筆記具芯４００のいずれか一つから線引きをすることができる。
【００３６】
図６は、本発明の第３実施例による直線の下線が引かれる筆記具のボールペン芯調節器を示す断面図である。図６に示したように、本発明の第３実施例の場合、本発明の第１実施例及び第２実施例と異なる点は、係止穴が上下に二つが具備されて、上部係止穴１２０ａと下部係止穴１２０bが具備されて、係止あごも上下に二つ具備されて、上部係止あご８１０aと下部係止あご８１０bが具備されるという点である。
【００３７】
上部係止あご８１０aが、上部係止穴１２０aに挿入され、下部係止あご８１０bが下部係止穴１２０bに挿入されると、蓋部５００が抜け、線引き用筆記具芯４００全体が、蓋５００及び上部本体部１００の内部に位置し、上部係止あご８１０aと下部係止あご８１０bとも下部係止穴１２０bに挿入されると、蓋部５００が入って線引き用筆記具芯４００の先端が、蓋部５００の外側に抜き出す状態で固定される。このような構造は、通常のカチカチボールペンのボールペン芯の出没のための基本的な構造と類似しているため、詳細な説明は省略する。
【００３８】
従って、本発明の第１実施例、第２実施例及び第３実施例では、下線を引く時、案内輪６００を紙面に向かって押す力を加える必要がない。
【００３９】
本発明の第４ないし第１１実施例による線引き用筆記具芯４００は、普通のボールペン芯であり、使用しない時には、線引き用筆記具芯の空間及び蓋部５００の内部空間に設置され、案内輪６００を紙面に向かって押して、蓋部５００が線引き用筆記具芯の空間の中に入ると、筆記先端４２０が筆記先端穴を通じて抜け出すように構成される。
【００４０】
図７は、本発明の第４実施例による直線の下線が引かれる筆記具のボールペン芯調節器を示す断面図である。図７に示したように、本発明の第４実施例の場合、上部本体部１００の内部の底部１３０から、所定の距離だけ上方に離れた位置にバネ支持部１４０が具備される。バネ支持部１４０は、線引き用筆記具芯４００によって貫通する穴が形成され、バネ支持部１４０のエッジ部が、上部本体部１００の内周面と結されるリングの形態の部材である。
【００４１】
そして、本発明の第４実施例においては、線引き用筆記具芯４００の筆記先端から下側に所定の距離だけ離れた部分の両側面には、係止突起部４３０が具備され、コイルの形態の上部バネ７００ａが線引き用筆記具芯４００に通じて貫通しながら、下端が係止突起部４３０と接し、上端が蓋部５００の上端部に当たって、蓋部５００が下がると圧縮されるように設置され、コイル状の下部バネ７００ｂは、線引き用筆記具芯４００に通じて貫通しながら、上端が係止突起部４３０と接し、下端が底部１３０に当たって、蓋部５００が下がると、圧縮されるように設置される。ここで、係止突起部４３０と下部バネ７００ｂは、線引用筆記具芯４００が底部１３０側にすっと入ることを防ぐためのものであり、係止突起部４３０と上部バネ７００ａは、線引き用筆記具芯４００が外側に外して出ることを防ぐためのものである。
【００４２】
線引き用筆記具芯４００の下端は、蓋部５００がいくら押されても、底部１３０と接触しないよう設定する必要がある。線引き用筆記具芯４００の下端が、底部１３０と接触すると、線引き用筆記具芯４００は固定されているが、蓋部５００だけ弾性的に動くので、案内輪６００の接地力が少なくなることができて、直線的に線が引かれる効果を低下させることができるからである。
【００４３】
図８は、本発明の第５実施例による直線の下線が引かれる筆記具のボールペン芯調節器を示す断面図である。図５に示したように、本発明の第５実施例の場合、蓋部５００の上端部下面と線引き用筆記具芯４００の筆記先端から下側に所定の距離だけ離れた部分の両側面に形成された係止突起部４３０との間に上部バネ７００ａが設置され、下部バネ７００ｂによって支持される受け部７１０が具備される。受け部７１０の上面の中心部には、上方に突出され、線引き用筆記具芯の下端部の穴と嵌合結合される結合突起７２０が具備され、下部バネ７００ｂは、受け部７１０の下面と上部本体部１００の底部１３０との間に弾設される。
【００４４】
本発明の第５実施例において、線引き用筆記具芯４００は、下部バネ７００ｂによって、底部１３０とは当たっていなく、線引き用筆記具芯４００の下端穴が結合突起７２０と嵌合結合されているので、外側に抜けられない。
【００４５】
線引き用筆記具芯４００が二つである場合は、結合突起７２０も左右に間隔を置いて二つ備える必要がある。
【００４６】
上記の本発明の第４実施例及び第５実施例は、線引き用筆記具芯４００がバネによって、底部１３０に当たらないように、弾性的に支持されながらも、外に抜けないように設置されることの二つの実施例であれば、以下に説明する第６ないし第１０実施例は、蓋部５００が抜かないようにして、蓋部５００が上下に動かしたり、固定されるようにすることと関連する五つの実施例として、本発明の第４実施例及び第５実施例は、第６ないし第１０実施例の全般に適用することができ、二つの実施例が、五つの実施例と組み合わせることが可能なので、第４ないし第１０実施例によって、全て１０個の組み合わせが導出されることができる。
【００４７】
図９は、本発明の第６実施例による直線の下線が引かれる筆記具のボールペン芯調節器を示す断面図である。図９に示したように、本発明の第６実施例の場合、上部本体部１００の側面には、上下方向に長く長方形の係止穴１２０が形成され、係止部材８００の係止あご８１０が係止穴１２０を貫通しながら、係止穴１２０内で、上下方向に移動可能のように構成される。
【００４８】
係止部材８００は、蓋部５００の下端のエッジと結合して、下方に長く伸びる薄い部材として、蓋部５００との結合位置の下側部分が、側方向に弾性的に動くことができ、係止部材８００の下端部で、外側を向かう部分には、上面が直角に折れられた係止あご８１０が突出して形成される。
【００４９】
蓋部５００が上昇して、係止あご８１０の直角に折れた上端が、係止穴１２０の上端のエッジと接して係り止めるなると、蓋部５００がこれ以上上がることができないので、普段は、蓋部５００が上部本体部１００から抜けない。しかし、先のとがったもので係止あご８１０を内側に押して、上部本体部１００の内部に入るようになる状態で、蓋部５００を引っ張ると、蓋部５００を分離することができ、線引き用筆記具芯４００も交換することができる。
【００５０】
蓋部５００の上部の側面のうち、相互に反対側を向く面には、それぞれ一つずつ輪軸６１０が結合されるが、この時、二つの輪軸６１０は、それぞれ斜めに傾いている。輪軸６１０の端部には、案内輪６００が回転可能に結合される。
【００５１】
案内輪６００の大きさは、案内輪６００を紙面に着いた状態で、蓋部５００が所定の距離だけ入ると、線引き用筆記具芯４００の先が紙面に着ける程度で構成する。
【００５２】
案内輪６００において任意の材質を使うと、案内輪６００が滑って、直線になるように引くことができない。案内輪６００が直線に転がっていくことができるようにする要因としては、輪の材質が摩擦の輪の材質が摩擦の大きいゴム材質からなるもの、紙との摩擦を増大させるために、輪が歯車のようになるように、輪に浅い溝を掘ること、輪をただ転がせることではなく、ボールペン芯が表せるために、輪の蓋が下がるように力を加える過程で、紙と輪との間に、摩擦力が増加するようにバネの弾性力を調節すること、輪が左右に動かないように固定するもの、輪の間、ボールペン芯が紙に接して引く過程で、中心を取ってくれるもの等がある。
【００５３】
しかし、これよりも最も効果的な方法は、案内輪６００の軸が外側も行くほど、下方傾斜するように傾け、案内輪６００は、輪軸６１０と直角になるようにして、一対の案内輪６００の一方は集まり、他方は広がるように設置するものである。
【００５４】
これらの案内輪６００は、円錐形または円柱形を持っている一対の輪軸６１０が、外側に行きながら下方に傾斜れ、案内輪６００の斜めた側面が、紙面に密着して転がるように構成される。これにより一対の案内輪６００が更に直進性を持って、直線に転がって行くことができるようになる。
【００５５】
図１０は、本発明の第７実施例による直線の下線が引かれる筆記具のボールペン芯調節器を示す断面図である。図１０に示したように、本発明の第７実施例の場合、本発明の第６実施例と異なる点は、係止穴が上下に二つ具備され、上部係止穴１２０ａと下部係止穴１２０ｂが具備され、係止あごも上下に二つ具備され、上部係止あご８１０ａと下部係止あご８１０ｂが具備されることである。
【００５６】
上部係止あご８１０ａが上部係止穴１２０ａに挿入され、下部係止あご８１０ｂが下部係止穴１２０ｂに挿入されると、蓋部５００が抜け出して、線引き用筆記具芯４００全体が蓋部５００及び上部本体部１００の内部に位置し、上部係止あご８１０ａと下部係止あご８１０ｂの全てが下部係止穴１２０ｂに挿入されると、蓋部５００が入って、線引き用筆記具芯４００が先が蓋部５００の外部に抜き出す状態で固定される。このような構造は、通常のカチカチボールペンのボールペン芯の出没のための基本構造と類似しているため、詳細な説明は省略する。
【００５７】
したがって、本実施例では、筆記先端４２０が出たり入ったりすることのうちのいずれか一つに決定された状態で、上下移動が固定されるので、下線を引く時、案内輪６００を紙面に向かって押す力を加える必要がない。
【００５８】
図１１は、本発明の第８実施例による直線の下線が引かれる筆記具のボールペン芯調節器を示す断面図である。図１１に示したように、本発明の第８実施例の場合、本発明の第６実施例及び第７実施例とは異なり、係止部材８００と係止あご８１０a、８１０bが存在しない代わりに、蓋部あご５２０、本体部あご１５０、移動制限あご１６０が具備される。
【００５９】
蓋部５００の下端部には、外側に突出された環状の蓋部あご５２０が具備され、上部本体部１００の内周面には、内側に突出された環状の本体部あご１５０が、上下間隔を置いて一対具備され、上部本体部１００の内周面には、内側に突出された状の移動制限あご１６０が本体部あご１５０のうち、下側のものと下方に間隔を置いて具備され、蓋部あご５２０と本体部あご１５０は、所定の大きさ以上の力を加えて、下面蓋部あご５２０が本体部あご１５０を乗り超えて移動できるように丸く処理され、移動制限あご１６０は、蓋部あご５２０が乗り越えることを防止するように角があるように処理され、本体部あご１５０のうち、下側のものと移動制限あご１６０との間に蓋部あご５２０が嵌入されると、筆記先端４２０が外部に抜けた状態で、蓋部５００の位置が固定されるように構成される。即ち、蓋部５００は、蓋部あご５２０が一対の本体部あご１５０の間にある場合には、上下運動が可能になって、下線を引く時、案内輪６００を紙面に向かって押す力を加えながら描くことであるが、もっと入って、蓋部あご５２０が本体部あご１５０のうち、下側のものと移動制限あご１６０との間にはめられると、上下運動にならないように固定されるので、下線を引く場合は、案内輪６００を紙面に当たって押す力を加える必要がない。
【００６０】
図１２は、本発明の第９実施例による直線の下線が引かれる筆記具のボールペン芯調節器を示す断面図である。図１２に示したように、本発明の第９実施例の場合、本発明の第６実施例と第８実施例を全て加わってから、本体部あご１５０において、上にあるものを除去されたものであると言える。即ち、蓋部５００の固定は、蓋部あご５２０が、本体部あご１５０と移動制限あご１６０に嵌まれることを利用し、蓋部５００の離脱の防止は、係止部材８００と係止あご８１０を利用することである。
【００６１】
図１３は、本発明の第１０実施例による直線の下線が引かれる筆記具のボールペン芯調節器を示す断面図である。図１３に示したように、本発明の第１０実施例の場合、上部本体部１００の側面には、上下方向に間隔を置いて、上下方向に長い長方形の上部係止穴１２０ａと上下の長さが短い下部係止穴１２０ｂが形成され、蓋部５００の下端と結合され、下方に伸びて内側及び外側の方向に弾性的に動くことができ、下端部には、上部係止穴１２０ａに挿入された状態で上下方向に動いだり、下部係止穴１２０ｂに挿入された状態で上下方向への動きが固定だれるように、外側に突出する係止あご８１０が、一体型で形成される係止部材８００が具備される。
【００６２】
蓋部５００は、係止あご８１０が上部係止穴１２０ａ内で移動して、前記上部係止穴１２０ａの上端または下端に達すると、係止あご８１０が上部係止穴１２０ａの上端または下端に位置して、上部本体部１００に係り止めて上方または下方への移動が制限され、係止あご８１０を外側で押して、係止あご８１０が上部本体部１００に係り合うことが解除されると、係止部材８００がもっと下降可能であり、係止あご８１０が下部係止穴１２０bに挿入されると、上下移動が防止されるように構成される。
【００６３】
即ち、係止あご８１０の上面と下面の両方の角になっているので輪の蓋部５００を紙面に向かって押すと、係止あご８１０が長い長方形の上部係止穴１２０aに沿って下がり、所定以上に下がると、上部係止穴１２０aの先が塞いで下がらない。それで、再び筆記芯を紙面から取り外せば、バネにより原状復帰される。しかし、最初から固定させようとすると、手を利用して、飛び出してきた係止あご８１０を押し状態で輪の蓋部５００を下に押すと、小さな長方形としての下方係止穴１２０bに係止あご８１０が固定されて、筆記芯を紙面から落ちても原状復帰されず、筆記芯が抜き出す状態になる。
【００６４】
本発明の第４実施例ないし第１０実施例の基本的な作用を説明すると、以下のようである。
【００６５】
普段は、下部本体部２００及びメイン筆記具芯３００等で構成された部分を、通常のカチカチボールペンのように使用していて、下線を引く時は、上部本体部１００が下側に行くように逆裏返し掴んで、案内輪６００を紙面に着けた状態でギュッと押すと、輪軸６１０と結合された蓋部５００が上に上がりながら、線引き用筆記具芯４００の先が露出され、紙面に当たる状態で、上部本体部１００を掴んで、横に動くと、一対の案内輪６００が転がりながら、線引き用筆記具芯４００が直線に動かしながら直線の下線を引くようになる。
【００６６】
下線を引いた次の案内輪６００を押す力を除去すると、バネの復帰力によって、蓋部５００が元の状態になって、線引き用筆記具芯４００の先が蓋部５００内部に入ることになる。
【００６７】
図１４は、本発明の第１１実施例による直線の下線が引かれる筆記具のボールペン芯調節器を示す断面図である。図１４に示したように、本発明の第１１実施例の場合、本発明の４ないし第１０実施例と異なる点は、相互に色が異なる二つの線引き用筆記具芯４００が、隣になって並んで設置されることである。
【００６８】
本発明の第１１実施例においては、線引き用筆記具芯４００の先端部分が、同時に二つ露出されていて、上部本体部１００を傾く方向に沿って、二つの線引き用筆記具芯４００において、いずれか一つで線引きをすることができる。
【００６９】
線引き用筆記具芯４００は、ボールペン芯ではなく、蛍光ペン芯にすることもできるのはもちろんである。蛍光ペン芯の先端部分は、外部大気に長時間露出されると、乾いてしまうため、最近では、ノックタイプの蛍光ペンが開発されて使用されているが 、即ち、普段は、蛍光ペン芯が入っており、出入り口が塞いでいるが、一回押すと出入りが開きながら、蛍光ペン芯が外側に出てきて、使用することができ、もう一回押すと、蛍光ペン芯が入っていきながら、出入口が閉じ、蛍光ペン芯の蓋を閉じる効果を発揮することである。このようなノックタイプの蛍光ペンの構造は、従来に広く知られる通常の技術として、特許文献２及び特許文献３に詳細な構造が記載されているので、ここでは詳細な説明をすることは省略する。
【００７０】
以上の説明のように、本発明の実施のための形態についてのみ記述しましたが、本発明の実施のための形態を基にした本発明の技術思想の範囲内での様々な変形及び修正が可能であることは、当業者にとって明らかなことであり、そして、このような変形及び修正が添付された保護しようとする発明の範囲に属することは当然のことである。
【産業上の利用可能性】
【００７１】
本発明に係る直線の下線が引かれる筆記具によると、ボールペン芯が両方に具備され、一方は筆記用に使用して、他方は蓋に輪が付いており、筆記途中に、下線が必要なときに線引きが可能であり、直線引きを不快感なくスッキリでき、重要内容が頭の中に正確に伝達されるようにして、突然の直線に下線引きが必要な状況に使用されることができる。
【符号の説明】
【００７２】
１００    上部本体部
１２０    係止穴
１２０ａ    上部係止穴
１２０ｂ    下部係止穴
１３０    底部
１４０    バネ支持部
１５０    本体部あご
１６０    移動制限あご
２００    下部本体部
３００    メイン筆記具芯
４００    線引き用筆記具芯
４２０    筆記先端
４３０    係止突起部
５００    蓋部
５２０    蓋部あご
６００    案内輪
６１０    輪軸
７００    バネ
７００ａ    上部バネ
７００ｂ    下部バネ
７１０    受け部
７２０    結合突起
８００    係止部材
【図１】
0006298544.tif 000002
【図２】
0006298544.tif 000003
【図３】
0006298544.tif 000004
【図４】
0006298544.tif 000005
【図５】
0006298544.tif 000006
【図６】
0006298544.tif 000007
【図７】
0006298544.tif 000008
【図８】
0006298544.tif 000009
【図９】
0006298544.tif 000010
【図１０】
0006298544.tif 000011
【図１１】
0006298544.tif 000012
【図１２】
0006298544.tif 000013
【図１３】
0006298544.tif 000014
【図１４】
0006298544.tif 000015